(57)【要約】  携帯装置（１００）は、加速度を計測する加速度センサ（１５）と、角速度を計測するジャイロセンサ（１６）と、点検場所を示す場所情報が含まれている見取図の画像である第１の画像を記憶する記憶部（１１０）と、第１の画像上における携帯装置（１００）の現在位置を算出する位置算出部（１３０）と、現在位置を示す第１の位置情報を第１の画像に重ねて表示する表示部（１６０）と、を有する。位置算出部（１３０）は、加速度、角速度、及び第１の画像上における、現在位置を算出する前に算出された携帯装置（１００）の位置を示す第２の位置情報に基づいて、現在位置を算出する。
2020234912.tif 000002
【特許請求の範囲】
【請求項１】
携帯装置であって、
加速度を計測する加速度センサと、
角速度を計測するジャイロセンサと、
点検場所を示す場所情報が含まれている見取図の画像である第１の画像を記憶する記憶部と、
前記第１の画像上における前記携帯装置の現在位置を算出する位置算出部と、
前記現在位置を示す第１の位置情報を前記第１の画像に重ねて表示する表示部と、
を有し、
前記位置算出部は、前記加速度、前記角速度、及び前記第１の画像上における、前記現在位置を算出する前に算出された前記携帯装置の位置を示す第２の位置情報に基づいて、前記現在位置を算出する、
携帯装置。
【請求項２】
前記第２の位置情報は、前記第１の画像上における、前回算出された前記携帯装置の位置を示す、
請求項１に記載の携帯装置。
【請求項３】
方位を計測する方位計測センサと、
前記携帯装置が傾けられたときの傾き角度と、前記携帯装置から天井までの第１の距離に基づいて、前記携帯装置の位置から前記点検場所の位置までの第２の距離を算出し、前記携帯装置の位置、前記方位、前記第２の距離及び前記見取図の画像に基づいて、前記第１の画像を作成する算出作成部と、
をさらに有する請求項１又は２に記載の携帯装置。
【請求項４】
前記点検場所に設置されている点検対象の機器の画像である第２の画像と前記場所情報とを関連付けする関連付け部と、
ユーザの操作により前記場所情報が選択されたことを検出する操作検出部と、
をさらに有し、
前記表示部は、前記選択が検出された場合、前記第２の画像を表示する、
請求項１から３のいずれか１項に記載の携帯装置。
【請求項５】
前記点検場所に設置されている点検対象の機器に対応する点検手順を示す点検手順情報と前記場所情報とを関連付けする関連付け部と、
ユーザの操作により前記場所情報が選択されたことを検出する操作検出部と、
をさらに有し、
前記表示部は、前記選択が検出された場合、前記点検手順情報を表示する、
請求項１から３のいずれか１項に記載の携帯装置。
【請求項６】
前記点検場所に設置されている点検対象の機器に対応する点検履歴を示す点検履歴情報と前記場所情報とを関連付けする関連付け部と、
ユーザの操作により前記場所情報が選択されたことを検出する操作検出部と、
をさらに有し、
前記表示部は、前記選択が検出された場合、前記点検履歴情報を表示する、
請求項１から３のいずれか１項に記載の携帯装置。
【請求項７】
前記点検場所の位置と前記現在位置との間の距離である第３の距離が予め決められた閾値以下であるか否かを判定する距離判定部、
をさらに有し、
前記表示部は、前記第３の距離が前記閾値以下であると判定された場合、前記点検場所に設置されている点検対象の機器の画像である第２の画像、前記点検対象の機器に対応する点検手順を示す点検手順情報、及び前記点検対象の機器に対応する点検履歴を示す点検履歴情報の少なくとも１つ以上を表示する、
請求項１から３のいずれか１項に記載の携帯装置。
【請求項８】
加速度を計測する加速度センサと、角速度を計測するジャイロセンサとを有する携帯装置が、
点検場所を示す場所情報が含まれている見取図の画像である第１の画像上における前記携帯装置の現在位置を算出し、
前記現在位置を示す第１の位置情報を前記第１の画像に重ねて表示し、
前記現在位置を算出する場合、前記加速度、前記角速度、及び前記第１の画像上における、前記現在位置を算出する前に算出された前記携帯装置の位置を示す第２の位置情報に基づいて、前記現在位置を算出する、
位置表示方法。
【請求項９】
加速度を計測する加速度センサと、角速度を計測するジャイロセンサとを有する携帯装置に、
点検場所を示す場所情報が含まれている見取図の画像である第１の画像上における前記携帯装置の現在位置を算出し、
前記現在位置を示す第１の位置情報を前記第１の画像に重ねて表示し、
前記現在位置を算出する場合、前記加速度、前記角速度、及び前記第１の画像上における、前記現在位置を算出する前に算出された前記携帯装置の位置を示す第２の位置情報に基づいて、前記現在位置を算出する、
処理を実行させる位置表示プログラム。
【発明の詳細な説明】
【技術分野】
【０００１】
本発明は、携帯装置、位置表示方法、及び位置表示プログラムに関する。
【背景技術】
【０００２】
作業者は、点検作業を行う。点検作業は、点検場所で行われる。ここで、点検場所を表示する技術が提案されている（特許文献１を参照）。
【先行技術文献】
【特許文献】
【０００３】
【特許文献１】特開２０１１−１１３１６１号公報
【特許文献２】特許第６２７２５７２号公報
【発明の概要】
【発明が解決しようとする課題】
【０００４】
上記の技術では、点検場所が携帯装置に表示される。作業者は、携帯装置を見ることで、点検場所を認識できる。しかし、作業者は、現在位置が分からないため、携帯装置を見ても、点検場所にたどり着けない場合がある。【０００５】
本発明の目的は、作業者を点検場所にたどり着けるようにすることである。
【課題を解決するための手段】
【０００６】
本発明の一態様に係る携帯装置が提供される。携帯装置は、加速度を計測する加速度センサと、角速度を計測するジャイロセンサと、点検場所を示す場所情報が含まれている見取図の画像である第１の画像を記憶する記憶部と、前記第１の画像上における前記携帯装置の現在位置を算出する位置算出部と、前記現在位置を示す第１の位置情報を前記第１の画像に重ねて表示する表示部と、を有する。前記位置算出部は、前記加速度、前記角速度、及び前記第１の画像上における、前記現在位置を算出する前に算出された前記携帯装置の位置を示す第２の位置情報に基づいて、前記現在位置を算出する。
【発明の効果】
【０００７】
本発明によれば、作業者を点検場所にたどり着けるようにできる。
【図面の簡単な説明】
【０００８】
【図１】作業の流れを示す図である。
【図２】携帯装置が有するハードウェアの構成を示す図である。
【図３】現地調査の段階における携帯装置の構成を示す機能ブロック図である。
【図４】画像判定部が実行する処理を示すフローチャートである。
【図５】検索処理の具体例を示す図である。
【図６】ピンボケの判定処理の具体例を示す図である。
【図７】算出作成部が実行する処理を示すフローチャートである。
【図８】点検場所の位置を算出する方法を説明するための図である。
【図９】点検場所の表示例を示す図である。
【図１０】点検機器の画像が表示される場合の具体例を示す図である。
【図１１】巡回点検の前処理の段階における携帯装置の構成を示す機能ブロック図である。
【図１２】巡回点検の前処理の段階における携帯装置が実行する処理の具体例を示す図である。
【図１３】巡回点検の段階における携帯装置の構成を示す機能ブロック図である。
【図１４】（Ａ）〜（Ｃ）は、巡回点検の段階における携帯装置による表示の具体例である。
【発明を実施するための形態】
【０００９】
以下、図面を参照しながら実施の形態を説明する。以下の実施の形態は、例にすぎず、本発明の範囲内で種々の変更が可能である。
【００１０】
実施の形態．
図１は、作業の流れを示す図である。作業には、現地調査、巡回点検の前処理、巡回点検の３つがある。３つの作業では、携帯装置１００が用いられる。例えば、携帯装置１００は、スマートフォン又はタブレット装置である。また、携帯装置１００は、位置表示方法を実行する装置である。
【００１１】
次に、携帯装置１００が有するハードウェアについて説明する。
図２は、携帯装置が有するハードウェアの構成を示す図である。携帯装置１００は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＳＳＤ（Ｓｏｌｉｄ  Ｓｔａｔｅ  Ｄｒｉｖｅ）１３、カメラ１４、加速度センサ１５、ジャイロセンサ１６、方位計測センサ１７、通信インタフェース１８、操作デバイス１９、ＧＰＵ（Ｇｒａｐｈｉｃｓ  Ｐｒｏｃｅｓｓｉｎｇ  Ｕｎｉｔ）２０、フレームメモリ２１、ＲＡＭＤＡＣ（Ｒａｎｄｏｍ  Ａｃｃｅｓｓ  Ｍｅｍｏｒｙ  Ｄｉｇｉｔａｌ−ｔｏ−Ａｎａｌｏｇ  Ｃｏｎｖｅｒｔｅｒ）２２、ディスプレイ２３を有する。
【００１２】
ここで、ＣＰＵ１１及びＧＰＵ２０は、プロセッサとも言う。ＣＰＵ１１は、携帯装置１００全体を制御する。ＲＡＭ１２は、携帯装置１００の主記憶装置である。ＳＳＤ１３は、携帯装置１００の補助記憶装置である。
カメラ１４は、撮影装置である。加速度センサ１５は、加速度を計測するセンサである。ジャイロセンサ１６は、角速度を計測するセンサである。方位計測センサ１７は、方位を計測するセンサである。方位計測センサ１７は、電子コンパスと表現してもよい。
【００１３】
通信インタフェース１８は、他の装置と通信する。操作デバイス１９は、ユーザがＧＵＩ（Ｇｒａｐｈｉｃａｌ  Ｕｓｅｒ  Ｉｎｔｅｒｆａｃｅ）を操作する際に用いられる。また、ＧＵＩは、ＧＰＵ２０、フレームメモリ２１、ＲＡＭＤＡＣ２２を用いて、ディスプレイ２３に表示される。
【００１４】
次に、現地調査の段階における携帯装置１００の機能を説明する。
図３は、現地調査の段階における携帯装置の構成を示す機能ブロック図である。携帯装置１００は、記憶部１１０、取得部１２０、位置算出部１３０、画像判定部１４０、算出作成部１５０、表示部１６０、関連付け部１７０、及び操作検出部１８０を有する。
【００１５】
記憶部１１０は、ＲＡＭ１２、ＳＳＤ１３、フレームメモリ２１、又はＲＡＭＤＡＣ２２に確保した記憶領域として実現してもよい。
取得部１２０、位置算出部１３０、画像判定部１４０、算出作成部１５０、表示部１６０、関連付け部１７０、及び操作検出部１８０の一部又は全部は、プロセッサによって実現してもよい。
【００１６】
取得部１２０、位置算出部１３０、画像判定部１４０、算出作成部１５０、表示部１６０、関連付け部１７０、及び操作検出部１８０の一部又は全部は、プロセッサが実行するプログラムのモジュールとして実現してもよい。例えば、プロセッサが実行するプログラムは、位置表示プログラムとも言う。例えば、位置表示プログラムは、記録媒体に記録されている。
【００１７】
取得部１２０は、作業現場の見取図の画像を取得する。例えば、取得部１２０は、紙の見取図をスキャナが読み取った画像を取得してもよい。また、例えば、取得部１２０は、ＣＡＤデータに基づいて得られた見取図の画像を取得してもよい。
【００１８】
位置算出部１３０は、加速度センサ１５が計測した加速度を取得する。位置算出部１３０は、ジャイロセンサ１６から角速度を取得する。位置算出部１３０は、前回算出した携帯装置１００の位置、加速度、及び角速度とに基づいて、携帯装置１００の位置を算出する。なお、携帯装置１００の位置を算出する方法は、特許文献２に記載されている。また、位置算出部１３０が最初に携帯装置１００の位置を算出する前に、初期位置が設定される。例えば、ユーザは、携帯装置１００の位置を携帯装置１００に設定する。そして、位置算出部１３０が最初に携帯装置１００の位置を算出する場合、位置算出部１３０は、初期位置、加速度、及び角速度とに基づいて、携帯装置１００の位置を算出する。
【００１９】
画像判定部１４０は、カメラ１４が撮影した画像を取得する。画像判定部１４０は、点検対象の機器が画像に存在するか否かを判定する。
算出作成部１５０、表示部１６０、関連付け部１７０、及び操作検出部１８０の機能については、後で説明する。
【００２０】
次に、画像判定部１４０の機能について、詳細に説明する。
図４は、画像判定部が実行する処理を示すフローチャートである。まず、ユーザは、携帯装置１００を持って、点検対象の機器が存在する場所に移動する。ユーザは、携帯装置１００を用いて、物を撮影する。なお、物には、点検対象の機器が含まれる。図４の処理は、カメラ１４が撮影した画像を画像判定部１４０が取得することで開始する。
【００２１】
（ステップＳ１１）画像判定部１４０は、点検場所に設置されている点検対象の機器が画像内に存在するか否かを判定する。以下、点検対象の機器は、点検機器と呼ぶ。
ここで、画像判定部１４０が実行する処理を具体的に説明する。
【００２２】
図５は、検索処理の具体例を示す図である。画像３０は、カメラ１４が撮影した画像である。画像判定部１４０は、検索ウィンドウを移動させて、点検機器が画像３０内に存在するか否かを検索する。詳細には、画像判定部１４０は、画像マッチングを用いて、点検機器が画像３０内に存在するか否かを検索する。なお、図５は、走査の経路を示している。
【００２３】
点検機器が画像内に存在する場合、画像判定部１４０は、処理をステップＳ１２に進める。点検機器が画像内に存在しない場合、画像判定部１４０は、処理を終了する。
ここで、以下、点検機器が存在する画像は、点検機器の画像と呼ぶ。
【００２４】
（ステップＳ１２）画像判定部１４０は、手振れにより、画像内の点検機器がピンボケしているか否かを判定する。
ここで、画像判定部１４０が実行する処理を具体的に説明する。
【００２５】
図６は、ピンボケの判定処理の具体例を示す図である。画像３０は、カメラ１４が撮影した画像である。
画像判定部１４０は、注目画素を決定する。図６は、注目画素３１を示している。画像判定部１４０は、注目画素を中心として、複数の周辺画素を決定する。例えば、図６は、周辺画素３２を示している。画像判定部１４０は、複数の周辺画素のうちの予め決められた画素数が連続して注目画素よりも明るい場合、注目画素を画像特徴点とする。また、画像判定部１４０は、複数の周辺画素のうちの予め決められた画素数が連続して注目画素よりも暗い場合、注目画素を画像特徴点とする。
【００２６】
画像判定部１４０は、上記のように、全ての画素に対して、画像特徴点であるか否かを判定する。
画像判定部１４０は、画像特徴点の数が予め決められた閾値以上である場合、画像内の点検機器がピンボケしていないと判定する。そして、画像判定部１４０は、処理をステップＳ１３に進める。
画像判定部１４０は、画像特徴点の数が予め決められた閾値よりも小さい場合、画像内の点検機器がピンボケしていると判定する。そして、画像判定部１４０は、処理を終了する。
【００２７】
（ステップＳ１３）画像判定部１４０は、カメラ１４が撮影した画像を関連付け部１７０に送信する。
【００２８】
図７は、算出作成部が実行する処理を示すフローチャートである。
（ステップＳ２１）算出作成部１５０は、取得部１２０から見取図の画像を受信したか否かを判定する。見取図の画像を受信した場合、算出作成部１５０は、処理をステップＳ２２に進める。見取図の画像を受信していない場合、算出作成部１５０は、待機する。
【００２９】
（ステップＳ２２）算出作成部１５０は、携帯装置１００の位置を示す位置情報を位置算出部１３０から受信する。
（ステップＳ２３）算出作成部１５０は、点検場所の位置を算出する。点検場所の位置を算出する方法を詳細に説明する。
【００３０】
図８は、点検場所の位置を算出する方法を説明するための図である。まず、ユーザは、点検機器が存在する場所の付近に存在する。ユーザは、携帯装置１００を持っている。
図８は、点検機器が空気調和機４０であることを示している。また、図８は、携帯装置１００の位置４１と点検場所の位置４２とを示している。なお、携帯装置１００の位置４１は、位置算出部１３０が算出した位置である。言い換えれば、携帯装置１００の位置４１は、ユーザの位置である。
【００３１】
図８は、携帯装置１００から天井４３までの距離Ｈを示している。距離Ｈは、記憶部１１０に予め格納されている。また、距離Ｈは、第１の距離とも言う。
算出作成部１５０は、式（１）を用いて、距離Ｌを算出する。距離Ｌは、携帯装置１００の位置４１から点検場所の位置４２までの距離である。なお、距離Ｌは、第２の距離とも言う。
【００３２】
【数１】
2020234912.tif 000003
【００３３】
なお、算出作成部１５０は、ジャイロセンサ１６が計測した値から傾きθを算出できる。傾きθは、携帯装置１００が傾けられたときの傾き角度である。このように、算出作成部１５０は、傾きθと距離Ｈに基づいて、距離Ｌを算出する。
算出作成部１５０は、方位計測センサ１７から方位を取得する。算出作成部１５０は、携帯装置１００の位置、方位、及び距離Ｌに基づいて、点検場所の位置を算出する。
【００３４】
（ステップＳ２４）算出作成部１５０は、見取図の画像に点検場所を加えた画像を作成する。このように、算出作成部１５０は、携帯装置１００の位置、方位、距離Ｌ、及び見取図の画像に基づいて、当該画像を作成する。当該画像は、点検場所を示す場所情報が含まれている見取図の画像と表現できる。以下、当該画像は、点検場所付加画像と呼ぶ。なお、当該場所情報は、プロットと呼ぶ。また、当該場所情報は、印と呼んでもよい。算出作成部１５０は、点検場所付加画像を記憶部１１０に格納する。
このように、携帯装置１００は、見取図の画像に点検場所を加えた画像を作成できる。
【００３５】
図９は、点検場所の表示例を示す図である。図９では、点検場所付加画像がディスプレイ２３に表示されている状態を示している。図９は、点検場所をプロットで示している。例えば、プロット５０は、点検場所を示す。
【００３６】
表示部１６０は、位置算出部１３０から定期的に携帯装置１００の位置を受信する。表示部１６０は、携帯装置１００の位置を受信する度に、点検場所付加画像に携帯装置１００の位置を重ねて表示する。図９は、ユーザの移動軌跡を示している。
【００３７】
また、関連付け部１７０は、画像判定部１４０が送信した点検機器の画像と点検場所付加画像内の点検場所を示すプロットとを関連付ける。例えば、関連付け部１７０は、点検場所付加画像内のプロットの座標と点検機器の画像を関連付ける。なお、点検機器の画像は、第２の画像とも言う。
【００３８】
操作検出部１８０は、ユーザの操作によりプロットが選択されたことを検出する。詳細には、操作検出部１８０は、ユーザがプロットをタップした場合、プロットが選択されたことを検出する。
表示部１６０は、当該選択が検出された場合、点検機器の画像を表示する。すなわち、表示部１６０は、プロットが選択されたことが検出された場合、点検機器の画像を表示する。
【００３９】
図１０は、点検機器の画像が表示される場合の具体例を示す図である。操作検出部１８０は、ユーザがプロット６０をタップした場合、プロット６０が選択されたことを検出する。操作検出部１８０は、プロット６０が選択されたことを表示部１６０に通知する。
表示部１６０は、点検機器の画像をディスプレイ２３に表示する。
ユーザは、ディスプレイ２３を見ることで、画像内に存在する点検機器がピンボケしているかを確認することができる。
【００４０】
次に、巡回点検の前処理の段階における携帯装置１００の機能を説明する。
図１１は、巡回点検の前処理の段階における携帯装置の構成を示す機能ブロック図である。図１１では、位置算出部１３０、画像判定部１４０、算出作成部１５０の図示が、省略されている。
記憶部１１０は、点検手順を示す点検手順情報を記憶している。また、記憶部１１０は、点検履歴を示す点検履歴情報を記憶している。
【００４１】
次に、巡回点検の前処理の段階における携帯装置１００の処理を具体的に説明する。
図１２は、巡回点検の前処理の段階における携帯装置が実行する処理の具体例を示す図である。
図１２では、プロット７０を含む点検場所付加画像がディスプレイ２３に表示されている状態を示している。
【００４２】
操作検出部１８０は、ユーザがプロット７０をタップした場合、プロット７０が選択されたことを検出する。操作検出部１８０は、プロット７０が選択されたことを表示部１６０に通知する。表示部１６０は、点検機器の画像７１を表示する。
ユーザは、画像７１に存在する点検機器の機器種別と固有番号とを機器種別の欄と固有番号の欄に設定する。
【００４３】
関連付け部１７０は、記憶部１１０を参照し、機器種別と固有番号とに基づいて、画像７１に存在する点検機器に対応する点検手順情報を検出する。関連付け部１７０は、点検手順情報とプロット７０とを関連付ける。
また、関連付け部１７０は、記憶部１１０を参照し、機器種別と固有番号とに基づいて、画像７１に存在する点検機器に対応する点検履歴情報を検出する。関連付け部１７０は、点検履歴情報とプロット７０とを関連付ける。
【００４４】
次に、巡回点検の段階について説明する。作業者は、携帯装置１００を持って巡回点検を行う。
図１３は、巡回点検の段階における携帯装置の構成を示す機能ブロック図である。携帯装置１００は、さらに、距離判定部１９０を有する。
距離判定部１９０の一部又は全部は、プロセッサによって実現してもよい。距離判定部１９０の一部又は全部は、プロセッサが実行するプログラムのモジュールとして実現してもよい。
【００４５】
距離判定部１９０の機能については、後で説明する。
記憶部１１０は、点検場所付加画像を記憶する。点検場所付加画像は、第１の画像とも言う。
【００４６】
巡回点検の段階における位置算出部１３０は、点検場所付加画像上における携帯装置１００の現在位置を算出する。詳細には、位置算出部１３０は、加速度、角速度、及び点検場所付加画像上における、現在位置を算出する前に算出された携帯装置１００の位置を示す位置情報に基づいて、現在位置を算出する。例えば、位置算出部１３０は、加速度、角速度、及び点検場所付加画像上における、前回算出された携帯装置１００の位置を示す位置情報に基づいて、現在位置を算出する。また、例えば、位置算出部１３０は、短い周期で現在位置を算出する場合、加速度、角速度、及び点検場所付加画像上における、２回前に算出された携帯装置１００の位置を示す位置情報に基づいて、現在位置を算出してもよい。なお、点検場所付加画像上における、現在位置を算出する前に算出された携帯装置１００の位置を示す位置情報は、第２の位置情報とも言う。
【００４７】
また、位置算出部１３０は、点検場所付加画像上における携帯装置１００の現在位置を定期的に算出する。言い換えれば、位置算出部１３０は、作業者の現在位置を定期的に算出する。
【００４８】
表示部１６０は、位置算出部１３０から携帯装置１００の現在位置を受信する。表示部１６０は、現在位置を示す位置情報を点検場所付加画像に重ねて表示する。なお、現在位置を示す位置情報は、第１の位置情報とも言う。表示部１６０は、位置算出部１３０から定期的に携帯装置１００の現在位置を受信する。表示部１６０は、携帯装置１００の現在位置を受信する度に、携帯装置１００の現在位置が重ねられた点検場所付加画像を表示する。
【００４９】
これにより、作業者は、携帯装置１００を見ることで、作業者の位置を確認できる。また、作業者は、点検場所付加画像を見ることで、点検場所を確認することができる。よって、携帯装置１００は、作業者を点検場所にたどり着けるようにすることができる。
【００５０】
図１４（Ａ）〜（Ｃ）は、巡回点検の段階における携帯装置による表示の具体例である。図１４（Ａ）は、作業者の移動経路が重ねられた点検場所付加画像が表示されている状態を示している。このように、表示部１６０は、作業者の移動経路が重ねられた点検場所付加画像をディスプレイ２３に表示してもよい。
【００５１】
また、図１４（Ａ）は、プロット８０がディスプレイ２３に表示されている状態を示している。操作検出部１８０は、作業者がプロット８０をタップした場合、プロット８０が選択されたことを検出する。操作検出部１８０は、プロット８０が選択されたことを表示部１６０に通知する。
【００５２】
表示部１６０は、当該選択が検出された場合、点検機器の画像と点検手順情報とを表示する。詳細には、表示部１６０は、プロット８０が選択されたことが検出された場合、プロット８０に関連付けられている点検機器の画像とプロット８０に関連付けられている点検手順情報とをディスプレイ２３に表示する。図１４（Ｂ）は、点検機器の画像と点検手順情報とがディスプレイ２３に表示されている状態を示している。これにより、作業者は、携帯装置１００を見ることで、点検機器を認識できる。また、作業者は、携帯装置１００を見ることで、点検手順を確認することができる。
【００５３】
また、表示部１６０は、選択が検出された場合、点検機器の画像と点検履歴情報とを表示する。詳細には、表示部１６０は、プロット８０が選択されたことが検出された場合、プロット８０に関連付けられている点検機器の画像とプロット８０に関連付けられている点検履歴情報とをディスプレイ２３に表示する。図１４（Ｃ）は、点検機器の画像と点検履歴情報とがディスプレイ２３に表示されている状態を示している。これにより、作業者は、携帯装置１００を見ることで、過去の点検作業を確認することができる。なお、表示部１６０は、点検機器の画像と点検手順情報とを表示した後、点検機器の画像と点検履歴情報とを表示してもよい。
【００５４】
ここで、距離判定部１９０の機能を説明する。距離判定部１９０は、点検場所の位置と携帯装置１００の現在位置との間の距離が予め決められた閾値以下であるか否かを判定する。なお、当該距離は、第３の距離とも言う。
【００５５】
表示部１６０は、当該距離が閾値以下であると判定された場合、点検機器の画像、点検手順情報、及び点検履歴情報の少なくとも１つ以上をディスプレイ２３に表示する。このように、携帯装置１００は、作業者が点検場所に近づいたとき、点検機器の画像などを表示する。これにより、携帯装置１００は、作業者が点検機器を見落とすことを防止できる。
【符号の説明】
【００５６】
１１  ＣＰＵ、  １２  ＲＡＭ、  １３  ＳＳＤ、  １４  カメラ、  １５  加速度センサ、  １６  ジャイロセンサ、  １７  方位計測センサ、  １８  通信インタフェース、  １９  操作デバイス、  ２０  ＧＰＵ、  ２１  フレームメモリ、  ２２  ＲＡＭＤＡＣ、  ２３  ディスプレイ、  ３０  画像、  ３１  注目画素、  ３２  周辺画素、  ４０  空気調和機、  ４１  位置、  ４２  位置、  ４３  天井、  ５０  プロット、  ６０  プロット、  ７０  プロット、  ７１  画像、  ８０  プロット、  １００  携帯装置、  １１０  記憶部、  １２０  取得部、  １３０  位置算出部、  １４０  画像判定部、  １５０  算出作成部、  １６０  表示部、  １７０  関連付け部、  １８０  操作検出部、  １９０  距離判定部。
【図１】
2020234912.tif 000004
【図２】
2020234912.tif 000005
【図３】
2020234912.tif 000006
【図４】
2020234912.tif 000007
【図５】
2020234912.tif 000008
【図６】
2020234912.tif 000009
【図７】
2020234912.tif 000010
【図８】
2020234912.tif 000011
【図９】
2020234912.tif 000012
【図１０】
2020234912.tif 000013
【図１１】
2020234912.tif 000014
【図１２】
2020234912.tif 000015
【図１３】
2020234912.tif 000016
【図１４】
2020234912.tif 000017
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
携帯装置であって、
加速度を計測する加速度センサと、
角速度を計測するジャイロセンサと、
点検場所を示す場所情報が含まれている見取図の画像である第１の画像を記憶する記憶部と、
前記第１の画像上における前記携帯装置の現在位置を算出する位置算出部と、
前記現在位置を示す第１の位置情報を前記第１の画像に重ねて表示する表示部と、
前記点検場所に設置されている点検対象の機器を撮影するカメラと、
前記カメラが撮影することにより得られた第２の画像内の前記点検対象の機器がピンボケしているか否かを判定する画像判定部と、
を有し、
前記位置算出部は、前記加速度、前記角速度、及び前記第１の画像上における、前記現在位置を算出する前に算出された前記携帯装置の位置を示す第２の位置情報に基づいて、前記現在位置を算出する、
携帯装置。
【請求項２】
前記第２の位置情報は、前記第１の画像上における、前回算出された前記携帯装置の位置を示す、
請求項１に記載の携帯装置。
【請求項３】
方位を計測する方位計測センサと、
前記携帯装置が傾けられたときの傾き角度と、前記携帯装置から天井までの第１の距離に基づいて、前記携帯装置の位置から前記点検場所の位置までの第２の距離を算出し、前記携帯装置の位置、前記方位、前記第２の距離及び前記見取図の画像に基づいて、前記第１の画像を作成する算出作成部と、
をさらに有する請求項１又は２に記載の携帯装置。
【請求項４】
前記第２の画像と前記場所情報とを関連付けする関連付け部と、
ユーザの操作により前記場所情報が選択されたことを検出する操作検出部と、
をさらに有し、
前記表示部は、前記選択が検出された場合、前記第２の画像を表示する、
請求項１から３のいずれか１項に記載の携帯装置。
【請求項５】
前記点検場所に設置されている前記点検対象の機器に対応する点検手順を示す点検手順情報と前記場所情報とを関連付けする関連付け部と、
ユーザの操作により前記場所情報が選択されたことを検出する操作検出部と、
をさらに有し、
前記表示部は、前記選択が検出された場合、前記点検手順情報を表示する、
請求項１から３のいずれか１項に記載の携帯装置。
【請求項６】
前記点検場所に設置されている前記点検対象の機器に対応する点検履歴を示す点検履歴情報と前記場所情報とを関連付けする関連付け部と、
ユーザの操作により前記場所情報が選択されたことを検出する操作検出部と、
をさらに有し、
前記表示部は、前記選択が検出された場合、前記点検履歴情報を表示する、
請求項１から３のいずれか１項に記載の携帯装置。
【請求項７】
前記点検場所の位置と前記現在位置との間の距離である第３の距離が予め決められた閾値以下であるか否かを判定する距離判定部、
をさらに有し、
前記表示部は、前記第３の距離が前記閾値以下であると判定された場合、前記点検場所に設置されている前記点検対象の機器の画像である前記第２の画像、前記点検対象の機器に対応する点検手順を示す点検手順情報、及び前記点検対象の機器に対応する点検履歴を示す点検履歴情報の少なくとも１つ以上を表示する、
請求項１から３のいずれか１項に記載の携帯装置。
【請求項８】
加速度を計測する加速度センサと、角速度を計測するジャイロセンサと、点検場所に設置されている点検対象の機器を撮影するカメラとを有する携帯装置が、
前記点検場所を示す場所情報が含まれている見取図の画像である第１の画像上における前記携帯装置の現在位置を算出し、
前記現在位置を示す第１の位置情報を前記第１の画像に重ねて表示し、
前記カメラが撮影することにより得られた第２の画像内の前記点検対象の機器がピンボケしているか否かを判定し、
前記現在位置を算出する場合、前記加速度、前記角速度、及び前記第１の画像上における、前記現在位置を算出する前に算出された前記携帯装置の位置を示す第２の位置情報に基づいて、前記現在位置を算出する、
位置表示方法。
【請求項９】
加速度を計測する加速度センサと、角速度を計測するジャイロセンサと、点検場所に設置されている点検対象の機器を撮影するカメラとを有する携帯装置に、
前記点検場所を示す場所情報が含まれている見取図の画像である第１の画像上における前記携帯装置の現在位置を算出し、
前記現在位置を示す第１の位置情報を前記第１の画像に重ねて表示し、
前記カメラが撮影することにより得られた第２の画像内の前記点検対象の機器がピンボケしているか否かを判定し、
前記現在位置を算出する場合、前記加速度、前記角速度、及び前記第１の画像上における、前記現在位置を算出する前に算出された前記携帯装置の位置を示す第２の位置情報に基づいて、前記現在位置を算出する、
処理を実行させる位置表示プログラム。
【手続補正２】
【補正対象書類名】明細書
【補正対象項目名】０００６
【補正方法】変更
【補正の内容】
【０００６】
本開示の一態様に係る携帯装置が提供される。携帯装置は、加速度を計測する加速度センサと、角速度を計測するジャイロセンサと、点検場所を示す場所情報が含まれている見取図の画像である第１の画像を記憶する記憶部と、前記第１の画像上における前記携帯装置の現在位置を算出する位置算出部と、前記現在位置を示す第１の位置情報を前記第１の画像に重ねて表示する表示部と、前記点検場所に設置されている点検対象の機器を撮影するカメラと、前記カメラが撮影することにより得られた第２の画像内の前記点検対象の機器がピンボケしているか否かを判定する画像判定部と、を有する。前記位置算出部は、前記加速度、前記角速度、及び前記第１の画像上における、前記現在位置を算出する前に算出された前記携帯装置の位置を示す第２の位置情報に基づいて、前記現在位置を算出する。
【国際調査報告】
2020234912.tif 000018
2020234912.tif 000019
2020234912.tif 000020
2020234912.tif 000021